(57)【要約】 【課題】  浴室等で安価な費用により芳香剤であるアロマオイルを気化させることができ、しかも芳香を発生させるために新たなスペースを必要としないようにする。【解決手段】水栓本体１に混合室５が形成され、給湯源と接続される給湯管１５と混合室５とは湯流路３により連通し、給水源と接続される給水管１６と混合室５とは水流路４により連通し、混合室５で混合された湯水は吐水管１２から外部へ吐水されるようにした混合水栓１において、前記湯流路３と併設して芳香部材３０を装着し、この芳香部材３０にはアロマオイルＣが収容され、湯流路２１を通過する湯によりアロマオイルＣを気化させる。【選択図】図２
2009057698.tif 000002
【特許請求の範囲】
【請求項１】
水栓本体に混合室が形成され、給湯源と接続される給湯管と混合室とは湯流路により連通し、給水源と接続される給水管と混合室とは水流路により連通し、混合室で混合された湯水は吐水管から外部へ吐水されるようにした混合水栓において、前記湯流路と併設して芳香部材を装着し、この芳香部材にはアロマオイルが収容され、湯流路を通過する湯によりアロマオイルを気化させることを特徴とする混合水栓。
【請求項２】
前記給湯管と水栓本体とは脚部材により接続し、この脚部材に湯流路が形成され、湯流路と併設して芳香部材を装着したことを特徴とする請求項１記載の混合水栓。
【請求項３】
前記水栓本体に給湯管と混合室とを連通する湯流路が形成され、湯流路に併設して芳香部材を装着したことを特徴とする請求項１記載の混合水栓。
【請求項４】
前記芳香部材には保持蓋を着脱自在に装着し、この保持蓋にアロマオイルを付着したことを特徴とする請求項１乃至請求項３の何れかに記載の混合水栓。
【発明の詳細な説明】
【技術分野】
【０００１】
この発明は、芳香剤であるアロマオイルを気化させ例えば浴室内全体に拡散することのできる混合水栓に関するものである。
【背景技術】
【０００２】
浴室においては心身の疲れを取り除き、日常のストレスを解消してリフレッシュすることを目的として、浴室内全体に芳香剤を拡散させる芳香発生装置を取付けることが行われており、このような芳香発生装置として例えば特許文献１がある。この特許文献１は、浴室側が開口した箱状の芳香発生装置本体の開口周縁部に、フランジ部を外方に向けて突設させ、芳香発生装置本体の底面にアロマオイルを入れる凹所を設け、凹所の裏側に加熱部を設けると共に、浴室の壁に設けた開口部に防水手段を介してフランジ部を壁に当接させて芳香発生装置本体を取付けることができるようにしたことを特徴とする芳香発生装置である。
【０００３】
【特許文献１】特開２００４−８１４４８号公報
【発明の開示】
【発明が解決しようとする課題】
【０００４】
芳香剤であるアロマオイルは、加熱手段により加熱されることにより気化されて周囲に拡散し、芳香効果を発揮するものであり、特許文献１の芳香発生装置においては、アロマオイルを加熱して気化させるための加熱部を設けている。この加熱部はアロマオイルを気化させるためのみに設けるものであるが、浴室でアロマオイルによる芳香を発生させるためにこのような芳香発生装置を取付ける場合、高価な商品を購入することとなるうえ、浴室内の狭いスペースに芳香発生装置を取付ける必要があり、浴室内で自由に使用できるスペースが狭くなってしまい、その改善策が望まれていた。
【０００５】
この発明は、このような従来の技術に存在する問題点に着目してなされたものであり、その目的は、浴室等で安価な費用により芳香剤であるアロマオイルを気化させることができ、しかも芳香を発生させるために新たなスペースを必要としないようにすることにある。
【課題を解決するための手段】
【０００６】
上記課題を達成するため、請求項１記載の発明では、水栓本体に混合室が形成され、給湯源と接続される給湯管と混合室とは湯流路により連通し、給水源と接続される給水管と混合室とは水流路により連通し、混合室で混合された湯水は吐水管から外部へ吐水されるようにした混合水栓において、前記湯流路と併設して芳香部材を装着し、この芳香部材にはアロマオイルが収容され、湯流路を通過する湯によりアロマオイルを気化させるものである。
【０００７】
請求項２に記載の発明では請求項１記載の発明において、前記給湯管と水栓本体とは脚部材により接続し、この脚部材に湯流路が形成され、湯流路と併設して芳香部材を装着したものである。
【０００８】
請求項３に記載の発明では請求項１記載の発明において、前記水栓本体に給湯管と混合室とを連通する湯流路が形成され、湯流路に併設して芳香部材を装着したものである。
【０００９】
請求項４に記載の発明では請求項１乃至請求項３の何れかに記載の発明において、前記芳香部材には保持蓋を着脱自在に装着し、この保持蓋にアロマオイルを付着したものである。
【発明の効果】
【００１０】
本発明の請求項１記載の発明では、混合水栓において、湯が通過する湯流路に併設して芳香剤であるアロマオイルが収容される芳香部材を装着したため、湯流路を通過する湯の熱がアロマオイルに伝達することによりアロマオイルは気化して拡散し、混合水栓の周囲はアロマオイルの芳香により心地よい空間となり、使用者は心身の疲れを取り除き、日常のストレスを解消してリフレッシュすることができる。また、混合水栓の湯流路を利用してアロマオイルを気化させるため、従来の芳香発生装置のような高価な商品を購入することなく、アロマオイルによる芳香を楽しむことができる。さらに、芳香部材は混合水栓に装着され、新たに広いスペースを必要とすることなく、アロマオイルによる芳香を楽しむことができる。
【００１１】
請求項２記載の発明では、給湯管と水栓本体とは脚部材により接続され、この脚部材の湯流路に芳香部材を装着したので、既存の混合水栓の脚部材のみを取替えることで、アロマオイルによる芳香を楽しむことができる。
【００１２】
請求項３記載の発明では、水栓本体の湯流路に併設して芳香部材を装着したので、アロマオイルが収容される芳香室のために新たに広いスペースを必要とすることなく、アロマオイルによる芳香を楽しむことができる。また、芳香部材は水栓本体に装着されているため、使用者から芳香部材を容易に目視することができ、その装着作業を容易に行うことができる。
【００１３】
請求項４記載の発明では、使用者の好みにより様々な種類のアロマオイルのうち何れか１つを選択して保持蓋に収容し、アロマオイルの芳香を楽しむことができる。
【発明を実施するための最良の形態】
【００１４】
以下、本発明を具体化した実施例を図に基づいて詳細に説明する。
【実施例１】
【００１５】
図１及び図２は浴室Ａの壁面Ｂに本発明の混合水栓１が固定された状態の説明図であり、混合水栓１は横長で略円筒形に形成された水栓本体２の背面に、湯が通過する湯流路３と、水が通過する水流路４とが形成され、この湯流路３及び水流路４は水栓本体２の略中央に形成された混合室５に連通し、前記各流路３，４に袋ナット６，６ａを介して回転自在に取付けられたクランク形の脚部材７，８により壁面Ｂに固定されている。また、脚部材７，８から水栓本体２に供給される湯，水は、各流路３，４と混合室５との間に設けられた温度調節弁９と連繋している温度調節ハンドル１０の操作により所望温度に混合され、その湯水の流量は温度調節ハンドル１０の反対側に設けられた流量調節ハンドル１１の操作により調節され、水栓本体２に装着された吐水管１２又はホース１３の先端に装着されたシャワーヘッド１４から吐水される。
【００１６】
前記脚部材７，８は、給湯源又は給水源から湯又は水を供給する給湯管１５，給水管１６と水栓本体２の湯流路３，水流路４とをそれぞれ連通させるためのもので、従来から一般的に用いられており、クランク形状を成している。この脚部材７，８において、給湯管１５から供給される湯が通過する湯側脚部材７は、脚部材本体１７と、この脚部材本体１７の一端に突出し給湯管１５から供給された湯が流入される流入口部１８と、脚部材本体１７の他端で流入口部１８とは反対方向に突出し湯側脚部材７に供給された湯を水栓本体２の湯流路３へ供給する流出口部１９とが一体に形成されている。なお、流入口部１８の外周には給湯管１５と接続するための雄ねじ部２０が形成されている。また、湯側脚部材７の内部には湯が通過する湯流路２１が形成されており、この湯流路２１の途中で流入口部１８と流出口部１９との間には、給湯管１５から供給される湯の流量を調節する止水栓２２と、湯流路２１から水栓本体２へ供給される湯の逆流を防止するための逆止弁２３とが順に収容されている。なお、湯側脚部材７の湯流路２１には止水栓，逆止弁だけでなく、例えば、湯に含まれている異物を除去するためのストレーナを収容したり、止水栓又は逆止弁のみを収容してもよい。
【００１７】
前記湯側脚部材７は逆止弁２３と向かい合わせて開口部２４が形成され、この開口部２４の内周面には雌ねじ部２４ａが形成されている。アロマオイルＣが収容される芳香部材３０は外周面に雄ねじ部３０ａが形成されており、この雄ねじ部３０ａが開口部２４の雌ねじ部２４ａに螺着することにより、芳香部材３０は湯流路２１に着脱自在に装着される。
【００１８】
前記芳香部材３０は湯側脚部材７の開口部２４に装着される逆止弁蓋３１と、この逆止弁蓋３１の軸方向に貫通した貫通孔３１ａに収容される例えば銅などの金属製のアロマケース３２と、このアロマケース３２に螺着される保持蓋３３とを備えている。前記アロマケース３２には軸方向に収容部３２ａと、前記湯流路２１と収容部３２ａとを遮断する伝達部３２ｂとが形成され、収容部３２ａには綿等からなる棒状の支持棒３２ｃの一端が収容されており、アロマオイルＣの収容部３２ａへの収容は、アロマオイルＣを支持棒３２ｃに付着してしみ込ませることにより行われる。アロマオイルＣは使用者の嗜好に合わせてリフレッシュ効果やリラックス効果など、目的に応じたアロマ効果を持つ芳香を選択することができる。前記保持蓋３３はアロマケース３２に螺着され、棒状に形成された支持棒３２ｃの他端を収容する凹部３３ａと、湯流路２１を通過する湯の熱が伝達部３２ｂを伝達して支持棒３２ｃへ達しこの熱により気化したアロマオイルＣを外部へ拡散させるための複数個の通気孔３３ｂとを備えている。
【００１９】
以上の混合水栓１において、次のようにアロマオイルＣを気化させ、アロマオイルＣの芳香を浴室Ａ内全体に拡散させる。
混合水栓１において、吐水管１２又はシャワーヘッド１４から湯水を吐水させる場合、給湯管１５から供給される湯は、湯側脚部材７の湯流路２１を通過して水栓本体２の湯流路３に供給される。この場合、湯側脚部材７の湯流路２１を通過する湯の熱は、芳香部材３０に設けられているアロマケース３２の伝達部３１ｂを伝達して支持棒３２ｃへ達し、この熱により支持棒３２ｃが加熱し、支持棒３２ｃに付着しているアロマオイルＣは気化し、保持蓋３３の通気孔３３ｂから外部へ拡散される。このため、混合水栓１が固定されている浴室Ａ内全体は、アロマオイルＣの芳香により心地よい空間となり、使用者は心身の疲れを取り除き、ストレスを解消することができる。
【００２０】
このように、本発明の混合水栓は、湯が通過する湯流路と併設してアロマオイルが収容されている芳香部材を装着したため、湯流路を通過する湯の熱を有効に利用して、この熱がアロマオイルに伝達することによりアロマオイルは気化して拡散し、浴室内全体はアロマオイルの芳香により心地よい空間となり、使用者は心身の疲れを取り除き、日常のストレスを解消してリフレッシュすることができる。また、混合水栓の湯流路を利用してアロマオイルを気化させるため、従来の芳香発生装置のような高価な商品を購入することなく、アロマオイルによる芳香を楽しむことができる。さらに、芳香部材は混合水栓に装着され、新たに広いスペースを必要とすることなく、アロマオイルによる芳香を楽しむことができる。
【００２１】
また、芳香部材が装着される脚部材は水栓本体と給湯管との間に接続されるものであり、既存の水栓本体はそのまま有効に利用して脚部材を交換するのみで、アロマオイルによる芳香を楽しむことができる。
【００２２】
さらに、芳香部材に保持蓋が着脱自在に装着され、この保持蓋にアロマオイルを収容したので、保持蓋を取外して、使用者の好みにより様々な種類のアロマオイルのうち何れか１つを選択して保持蓋に収容し、アロマオイルの芳香を楽しむことができる。
【実施例２】
【００２３】
図３及び図４は本発明の別の実施例である。
実施例１の混合水栓では芳香部材を給湯管と水栓本体との間の脚部材に装着するのに対し、実施例２の混合水栓１ａにおいては、水栓本体２ａの湯流路３ａに隣接して芳香部材４０を装着している。水栓本体２ａは湯流路３ａと隣接してその上部に芳香部材４０を装着するための開口孔５０が設けられている。芳香部材４０の構成は実施例１と異なり、開口孔５０の内周に形成された雌ねじ部５０ａに螺着される保持蓋６０と、この保持蓋６０に装着される支持棒６１とからなり、支持棒６１にアロマオイルＣを付着することで、アロマオイルＣは芳香部材４０に収容される。なお、その他の混合水栓のその他の構成は実施例１と同一であり、実施例１と同一の構成の部品については同一の符号を付し、その詳細な説明を省略する。
【００２４】
実施例２において、水栓本体２ａの湯流路３ａを湯が通過すると、この湯の熱は湯流路３ａから水栓本体２ａを伝って芳香部材４０の支持棒６１に達し、この熱により支持棒６１に付着しているアロマオイルＣは気化し、保持蓋６０の通気孔６０ａから外部へ拡散される。このため、混合水栓１が固定されている浴室Ａ内全体は、アロマオイルＣの芳香により心地よい空間となり、使用者は心身の疲れを取り除き、ストレスを解消することができる。
また、水栓本体の湯流路に併設して芳香部材を装着したので、アロマオイルが収容される芳香部材のために新たに広いスペースを必要とすることなく、アロマオイルによる芳香を楽しむことができる。
さらに、芳香部材は水栓本体に装着されているため、使用者から芳香部材を容易に目視することができ、その装着作業を容易に行うことができる。
【図面の簡単な説明】
【００２５】
【図１】浴室に実施例１の混合水栓が固定された状態を示す説明図である。
【図２】水栓の一部断面図である。
【図３】浴室に実施例２の混合水栓が固定された状態を示す説明図である。
【図４】図３のＸ−Ｘ線の主要部の断面図である。
【符号の説明】
【００２６】
１，１ａ    ：  混合水栓
２，２ａ    ：  水栓本体
３，３ａ    ：  湯流路
４          ：  水流路
５          ：  混合室
７          ：  湯側脚部材
１２          ：  吐水管
１５          ：  給湯管
１６          ：  給水管
２１          ：  湯流路
３０，４０    ：  芳香部材
３３，６０    ：  保持蓋
Ｃ          ：  アロマオイル
【図１】
2009057698.tif 000003
【図２】
2009057698.tif 000004
【図３】
2009057698.tif 000005
【図４】
2009057698.tif 000006